(57)【要約】  【課題】簡素な構造を用いて地震等による家具の傾倒を抑止し、安全性の向上を有効に図るキャスタを提供する。  【解決手段】机１の脚３に配設され、車輪５と、この車輪５を回動可能に支持するキャスタ本体６とを具備するキャスタ４であって、キャスタ本体６に、通常の使用姿勢において車輪５の下端より若干上方に位置する補助接地部６１１を設けた。【選択図】図３
2005198837.tif 000002
【特許請求の範囲】
【請求項１】
家具の下端部に配設され、車輪と、当該車輪を回動可能に支持するキャスタ本体とを具備するキャスタであって、
前記キャスタ本体に、通常の使用姿勢において前記車輪の下端より若干上方に位置する補助接地部を設けていることを特徴とするキャスタ。
【請求項２】
前記キャスタ本体に、前記車輪の接地位置を支点に所定角度傾斜した際に床面に添接して前記車輪のそれ以上の転動を規制する転動規制部を設けている請求項１記載のキャスタ。
【請求項３】
家具を構成する脚の下端部に配設され、車輪と、当該車輪を回動可能に支持するキャスタ本体とを具備するキャスタであって、
前記キャスタ本体に、通常の使用姿勢において前記車輪の下端より下方に位置し車輪に優先して床面に接地し、且つ前記使用姿勢から所定角度傾斜した傾斜姿勢において前記車輪の下端より上方に位置する補助接地部と、前記車輪の接地位置を支点にさらに所定角度傾斜した際に床面に添接して前記車輪のそれ以上の転動を規制する転動規制部とを設けていることを特徴とするキャスタ。
【請求項４】
前記家具を構成するパイプ状の脚の下端部に配設され、前記キャスタ本体の上端部に前記脚の開口端部に挿入可能な挿入部を設け、当該挿入部を前記脚の開口端部に挿入した状態において相互に係合するキー及びキー溝の何れか一方を前記挿入部に設けるとともに、他方を前記脚の開口端部に設けている請求項１、２又は３記載のキャスタ。
【請求項５】
天板と、当該天板を支持する脚とを具備してなり、当該脚が、前記天板における使用縁側の下方に配設される後脚と、天板における反使用縁側の下方に配設される前脚とを有し、前記前脚の下端部に請求項１乃至４記載のキャスタを設けるとともに、前記後脚の下端部にアジャスタ又はキャップを設けていることを特徴とする天板付き家具。
【発明の詳細な説明】
【技術分野】
【０００１】
本発明は、主として机等の天板付き家具の下端部に配設されるキャスタに関するものである。
【背景技術】
【０００２】
従来より、例えば天板を支持する脚の下端部にキャスタを配設し、床面上を転動可能に構成した机等の天板付き家具が知られている（例えば非特許文献１参照）。そして、前記キャスタを、通常の使用姿勢において床面に接地する車輪と、車輪を回動可能に支持するキャスタ本体とから構成しているのが通例である。
【非特許文献１】「コクヨ２００３総合カタログ」、オフィスファニチャー編、コクヨ株式会社、２００２年１２月発行、Ｐ．７８０）
【発明の開示】
【発明が解決しようとする課題】
【０００３】
ところが、従来のキャスタは、車輪が床面に接地している通常の使用姿勢において、床面とキャスタ本体との間にある程度大きなクリアランスが生じているため、地震等の際に例えば天板に重量物が落下する等して家具自体に大きな外力が掛かり、車輪が破損した場合には、キャスタ本体が床面に瞬時に接地せず、家具自体が極めて不安定な状態となり傾倒する恐れがある。加えて、床面とキャスタ本体との間にある程度大きなクリアランスがあるため、キャスタ本体が床面に接地した場合の衝撃が大きく、その衝撃によりキャスタ本体及び床面をも損傷し得るものである。このように従来のキャスタは、耐震性を十分に考慮されたものではなかった。
【０００４】
本発明は、このような課題に着目してなされたものであって、主たる目的は、簡素な構造を用いて地震等による家具の傾倒を抑止し、安全性の向上を有効に図るキャスタを提供することにある。
【課題を解決するための手段】
【０００５】
すなわち、本発明のキャスタは、家具の下端部に配設され、車輪と、当該車輪を回動可能に支持するキャスタ本体とを具備するものであって、前記キャスタ本体に、通常の使用姿勢において前記車輪の下端より若干上方に位置する補助接地部を設けていることを特徴とする。
【０００６】
ここで「通常の使用姿勢」とは、家具が傾斜していない状態を意味する。このようなものであれば、キャスタ本体に設けた補助接地部を前記車輪の下端より若干高位置に設定しているため、補助接地部を床面により近い位置に配設していることとなり、地震等により家具に重量物が落下する等して家具自体に大きな外力が掛かり、車輪が破損した場合であっても、補助接地部が床面にすぐに接地し、車輪の破損によって家具自体が不安定になり傾倒する恐れを簡素な構造を用いて有効に解消することできる。加えて、補助接地部を床面により近い位置に配設しているため、補助接地部が床面に接地した場合の衝撃を従来のものより抑えることができ、その衝撃によって補助接地部又は床面が損傷することをも抑止することができる。
【０００７】
また、前記キャスタ本体に、前記車輪の接地位置を支点に所定角度傾斜した際に床面に添接して前記車輪のそれ以上の転動を規制する転動規制部を設けていれば、地震等の震動によって家具が所定角度以上に傾斜した場合であっても、転動規制部により車輪の転動を規制し、家具自体が不用意に移動することを防止し、することができる。
【０００８】
また、別の実施態様としては、家具を構成する脚の下端部に配設され、車輪と、この車輪を回動可能に支持するキャスタ本体とを具備するキャスタであって、前記キャスタ本体に、通常の使用姿勢において前記車輪の下端より下方に位置し車輪に優先して床面に接地し、且つ前記使用姿勢から所定角度傾斜した傾斜姿勢において前記車輪の下端より上方に位置する補助接地部と、前記車輪の接地位置を支点にさらに所定角度傾斜した際に床面に添接して前記車輪のそれ以上の転動を規制する転動規制部とを設けているものが挙げられる。
【０００９】
ここで「通常の使用姿勢」とは、前記同様、家具が傾斜していない状態を意味する。このようなものであれば、使用時にはキャスタ本体の接地部が床面に接地しているため、地震等により家具自体に大きな外力が掛かった場合であっても、安定した接地状態が損なわれることがない。しかも通常使用時には車輪は接地していないため、車輪の磨耗・損傷を抑止し、キャスタの長寿命化にも資する。また、家具を移動する際には、所定角度傾斜させることにより車輪がキャスタ本体より優先して床面に接地するため、その状態で所望の位置まで簡単かつスムーズに移動させることができる。このように、家具の安定性の向上と、移動作業の簡便性とを両立することができる。加えて、転動規制部により車輪の転動を規制し、家具自体が不用意に移動することを防止することができる。
【００１０】
特に、前記家具を構成するパイプ状の脚の下端部に配設され、前記キャスタ本体の上端部に前記脚の開口端部に挿入可能な挿入部を設け、この挿入部を前記脚の開口端部に挿入した状態において相互に係合するキー及びキー溝の何れか一方を前記挿入部に設けるとともに、他方を前記脚の開口端部に設ければ、脚に対するキャスタ本体の回転動作を禁止して、強固で安定した取付状態を実現することができる。
【００１１】
また、上記効果を奏するキャスタを設けた家具としては、天板と、当該天板を支持する脚とを具備した天板付き家具が望ましく、特に、脚が、前記天板における使用縁側の下方に配設される後脚と、天板における反使用縁側の下方に配設される前脚とを有し、前記前脚の下端部にキャスタを設けるとともに、前記後脚の下端部にアジャスタ又はキャップを設けたものが好適である。
【発明の効果】
【００１２】
以上説明したように本発明のキャスタによれば、地震等の際に家具自体に大きな外力が掛かり、車輪が破損した場合であっても、補助接地部と床面とのクリアランスを小さく設定していることにより、補助接地部が床面にすぐに接地し、衝撃を緩和するとともに、車輪の破損によって家具自体が不安定になる恐れを有効に解消することできる。
【発明を実施するための最良の形態】
【００１３】
以下、本発明の一実施形態を、図面を参照して説明する。
【００１４】
<第１実施形態>
本発明に係るキャスタ４は、例えば図１等に示すように、天板付き家具たる学習用の机１に適用されるものである。
【００１５】
先ず、この机１について簡単に説明しておくと、この机１は、主として、天板２と、天板２を支持する一対の脚３とを備えたものである。
【００１６】
天板２は、例えば板材からなる略矩形状のものであり、四隅が丸みを帯びるように成形している。この天板２において、ワーカーの着座する側の縁を使用縁２ａとし、その反対側を反使用縁２ｂとする。
【００１７】
各脚３は、丸パイプ状のスチール素材を略下向きコ字状に折り曲げ成形したものであり、天板２における反使用縁２ｂ側の下方に位置する前脚３１と、天板２における使用縁２ａ側に下方に位置する後脚３２と、前脚３１と後脚３２とを連絡する連絡部３３とからなる。この連絡部３３を天板２の両側縁部の下面に沿うように固定し、一対の脚３を対向配置している。なお、この脚３は、前脚３１と後脚３２の下端部間を連結する補強パイプ３４も一体的に設けている。また、各脚３の上端部位にはスチール素材からなるサイドパネルＳＰを設けるとともに、このサイドパネルＳＰと略同じ高さ寸法を有する図示しないフロントパネルを、各脚３の前脚３１同士を跨ぐようにしてサイドパネルと略同じ高さ位置に設けている。なお、各サイドパネルＳＰの所定箇所に、ランドセルやカバン等の物品を引っ掛け得るフックＳＰａを一体的に取り付けている。さらに、天板２の下方には、少なくとも天板２の使用縁２ａ側を開口させ、本や文房具等の物品を収納し得る収納空間ＨＳを有した概略箱型の収納部Ｈを配設してある。
【００１８】
しかして、本実施形態においては、図１に示すように、前記各脚３の前脚３１にキャスタ４を設けるとともに、後脚３２にキャップＣを取り付けている。なお、このキャップＣは、後脚３２の開口端を蓋封するように着脱可能に装着される周知のものであるため、詳細な説明は割愛する。また、図２に示すように、各前脚３１における開口端部３１１の内周面には、後述するキャスタ４に形成したキー溝６２ａと係合可能なキー３１１ａを高さ方向に沿って設けている。このキー３１１ａは、前脚３１の内方に向かって突出させたものであり、対向するように一対設けている。そして、開口端部３１１の後縁側には、下方に開口するように切り欠いてなる略部分円弧状の凹部３１１ｂを形成している。
【００１９】
キャスタ４は、図２乃至図４に示すように、一対の車輪５と、これら車輪５を回動可能に支持するキャスタ本体６とを備えたものである。
【００２０】
車輪５はキャスタ本体６の両側方に対をなして配設され、水平支軸７を介してキャスタ本体６に軸支されている（なお、図３（ａ）、（ｃ）においては水平支軸を省略している）。
【００２１】
キャスタ本体６は、外周面の一部が車輪５と略同心円形状をなし、上端部が前脚３１の開口端部３１１における下端に当接し得る当接部として機能する本体部６１と、本体部６１の上方に突出し前脚３１の開口端部３１１に挿入可能な挿入部６２と、本体部６１の前方に突出し前記車輪５の床面Ｆへの接地位置を支点に所定角度傾斜した際に床面Ｆに添接して車輪５のそれ以上の転動を規制する転動規制部６３とを備えた樹脂一体成形品である。以下の説明において、位置もしくは方向を示す用語である「前」とは、キャスタを脚に装着した場合に、天板の反使用縁側に位置する側を指し、「後」とは、キャスタを脚に装着した場合に、天板の使用縁側に位置する側を指す。
【００２２】
本体部６１は、下端部位及び後端部位の外周面が車輪５より若干短い径を有する側面視略部分円弧状をなし、上端部位を略フラット状に形成したものである。このような形状をなす本体部６１の下端は、通常の使用姿勢において車輪５の下端より若干上方に位置し（図３（ｂ）、（ｃ）参照）、車輪５を取り付けていない状態又は車輪５が外れた状態において床面Ｆに接地する本発明の補助接地部６１１として機能する（図４（ｂ）参照）。本実施形態では、通常の使用姿勢において車輪５の下端と補助接地部６１１との間に略５ｍｍのクリアランスが生じるように設定してある。なお、このクリアランスの数値は一例であり、３ｍｍ〜５ｍｍの間であることが好ましい。また、この本体部６１は、下方に開放するスリット６１Ｓを巾方向に沿って複数形成している（図３（ｃ）参照）。
【００２３】
挿入部６２は、本体部６１の上端部から上方に突出し、前脚３１の開口端部３１１に内嵌し得る径を有した略円柱状のものである。この挿入部６２に、前脚３１の開口端部３１１に形成したキー３１１ａが係合可能なキー溝６２ａを長手方向に沿って形成してある。また、前記本体部６１の上端部における後端部側から挿入部６２に亘る所定部位を上方に膨出させ、前述した前脚３１の開口端部３１１に形成した凹部３１１ｂが嵌合可能な凸部６２ｂを設けている。
【００２４】
転動規制部６３は、本体部６１の前端部位から前方に突出してなり、車輪５を前方から被覆し得るように本体部６１より巾寸法を大きく設定したものである（図３（ａ）参照）。この転動規制部６３は、前端部が斜め下方に向かって傾斜する側面視略三角形状をなし、通常の使用姿勢において床面Ｆとの間に、前記補助接地部６１１と床面Ｆとのクリアランスより大きいクリアランスができるように設定してある（同図（ｂ）、（ｃ）参照）。そして、キャスタ４が所定角度傾斜した際に、この転動規制部６３が床面Ｆに接地してこの床面Ｆとの間に有効な摩擦力を生じ得るように構成している。
【００２５】
このような構成を有するキャスタ４を前脚３１に取り付けるには、先ず、前脚３１の開口端部３１１の凹部３１１ｂとキャスタ本体６の凸部６２ｂとが嵌合し得るようにキャスタ４の前後方向を決定し、前脚３１の開口部端３１１にキャスタ４を近付ける（図２参照）。この場合、前記凹部３１１ｂ及び凸部６２ｂが、キャスタ４の適切な取付位置を示唆する位置決め手段として機能する。引き続き、開口端部３１１に設けたキー３１１ａに、キャスタ本体６の挿入部６２に形成したキー溝６２ａを係合させながら開口端部３１１の下縁がキャスタ本体６の本体部６１の上端部に当接する位置まで挿入部６２を開口端部３１１に挿入する。以上のようにしてキャスタ４を前脚３１に取り付ける。この取付状態においては、キャスタ本体６の転動規制部６３が天板２の反使用縁側２ｂに位置する。また、キー３１１ａとキー溝６２ａとが係合するとともに、凹部３１１ｂと凸部６２ｂとが嵌合することにより、前脚３１に対するキャスタ４の回転動作（首振り動作）が規制されている。
【００２６】
しかして、この机１は、机１が傾斜していない通常の使用姿勢においては、前脚３１に装着したキャスタ４の車輪５が床面Ｆに接地するとともに、後脚３２に装着したキャップＣが床面Ｆに接地することとなるが、車輪５の滑動性がキャップＣにより減殺されるため、安定した設置状態となる。また、レイアウト変更等に伴い、この机１を移動させる必要がある場合には、天板２の使用縁２ａ側に手を掛けて若干持ち上げることにより机１全体を前傾させ、これにより後脚３２に取着されたキャップＣを浮上させ、前脚３１に取着されたキャスタ４の車輪５のみを床面Ｆに接地させて、床面Ｆ上を転動可能に設定している。一方、地震等の震動により机１が車輪５と床面Ｆとの接地位置を支点に所定角度以上に前傾した傾斜姿勢においては、転動規制部６３が床面Ｆに接地し、車輪５の転動を規制するように設定している（図４（ａ）参照）。同様に、天板２の使用縁２ａ側を過って必要以上に持ち上げた場合にも、転動規制部６３が床面Ｆに接地し、机１の転倒を有効に防止するように構成している。また、地震等の際に、例えば天板２上に重量物が落下し大きな外力が掛かることによって、車輪５が破損した場合には、通常の使用通常の姿勢において車輪５の下端より僅かに高い位置に位置するキャスタ本体の下端、すなわち補助接地部６１１が床面Ｆに接地し、机１の転倒或いは傾倒を防止するように構成している（同図（ｂ）参照）。
【００２７】
このように、本実施形態に係るキャスタ４は、キャスタ本体６に、通常の使用姿勢において車輪５の下端より若干上方に位置する補助接地部６１１を設けているため、机１自体に大きな外力が掛かり、車輪５が破損した場合であっても、通常の使用姿勢において床面Ｆとのクリアランスが小さい補助接地部６１１が床面Ｆにすぐに接地し、車輪５の破損によって机１自体が不安定になる恐れを簡素な構造を用いて有効に解消することできる。
【００２８】
また、キャスタ本体６に、車輪５の接地位置を支点に所定角度傾斜した際に床面Ｆに添接して車輪５のそれ以上の転動を規制する転動規制部６３を設けているため、地震等の震動によって机１が所定角度以上に傾斜した場合であっても、転動規制部６３により車輪５の転動を規制し、机１自体の不用意な滑動を防止することができる。
【００２９】
特に、キャスタ本体６の上端部に前脚３１の開口端部３１１に挿入可能な挿入部６２を設け、この挿入部６２を開口端部３１１に挿入した状態において相互に係合するキー溝６２ａを挿入部６２に設けるとともに、キー３１１ａを前脚３１の開口端部３１１に設けているため、前脚３１に対するキャスタ４の回転動作を禁止して、強固で安定した取付状態を実現することができる。
<第２実施形態>
次に、本発明に係るキャスタの第２実施形態について図５及び図６を参照して説明する。なお、各図において、第１実施形態に対応する部材には、同一の符号及び名称を付している。
【００３０】
本実施形態に係るキャスタ４は、前記実施形態と同様に、例えば、天板付き家具たる学習用の机１に適用されるものである。
【００３１】
前記机１は、第１実施形態の机１と同様に構成しているので詳細な説明は省略する。
【００３２】
しかして、本実施形態においても、各脚３の前脚３１にキャスタ４を設けるとともに、後脚３２にキャップＣを取り付けている。
【００３３】
キャスタ４は、例えば、図５に示すように、一対の車輪５と、これら車輪５を回動可能に支持するキャスタ本体６とを備えたものである。
【００３４】
車輪５は、第１実施形態と略同様に、キャスタ本体６の両側方に対をなして配設され、水平支軸７を介してキャスタ本体に軸支されているものである（なお、図５（ａ）、（ｃ）においては水平支軸を省略している）。
【００３５】
キャスタ本体６は、上端部が前脚３１の開口端部３１１に当接し得る当接部として機能する本体部６１と、本体部６１の上方に突出し前脚３１の開口端部３１１に挿入可能な挿入部６２と、本体部６１の前方に突出し前記車輪５の床面Ｆへの接地位置を支点に所定角度傾斜した際に床面Ｆに添接して車輪５のそれ以上の転動を規制する転動規制部６３とを備えた樹脂一体成形品である。なお、第１実施形態と同様に、以下の説明において位置もしくは方向を示す用語である「前」とは、キャスタを脚に装着した場合に、天板の反使用縁側に位置する側を指し、「後」とは、キャスタを脚に装着した場合に、天板の使用縁側に位置する側を指す。
【００３６】
本体部６１は、下端部位及び後端部位の外周面の一部が車輪５より若干短い径を有する側面視略部分円弧状をなし、下端部位の後端側に下方に突出させ通常の使用姿勢において車輪５の下端より下方に位置し車輪５に優先して床面Ｆに接地する補助接地部６１１を設けている（図５（ｂ）、（ｃ）参照）。したがって家具が傾斜していない通常の使用姿勢においては、車輪５の下端と床面Ｆとの間にクリアランスが存在する。この補助接地部６１１は、前記通常の使用姿勢から補助接地部６１１の床面Ｆへの接地位置を支点に所定角度傾斜した際に車輪５の下端より上方に位置するように設定し、補助接地６１１部と床面Ｆとの間にクリアランスが生じるようにしてある（図６（ａ）参照）。また、第１実施形態と同様に、本体部６１の上端部位を略フラット状に形成するとともに、下方に開放するスリット６１Ｓを巾方向に沿って複数形成している。
【００３７】
挿入部６２は、第１実施形態の挿入部６２と略同形状をなし、具体的には、本体部６１の上端部から上方に突出し、前脚３１の開口端部３１１に内嵌し得る径を有した略円柱状のものである。また、前脚３１の開口端部３１１に形成したキー３１１ａが係合可能なキー溝６２ａを長手方向に沿って形成するとももに、前記本体部６１の上端部における後端部側から挿入部６２に亘る所定部位を上方に膨出させ、前脚３１の開口端部３１１に形成した凹部３１１ｂが嵌合可能な凸部６２ｂを設けている点も第１実施形態と同様である。
【００３８】
転動規制部６３は、第１実施形態の転動規制部６３と略同形状をなすものであり、通常の使用姿勢において床面Ｆとの間に、車輪５の下端と床面Ｆとの間のクリアランスより大きいクリアランスができるように設定してある。しかして、この通常の使用姿勢における転動規制部６３と床面Ｆとのクリアランスを、第１実施形態における転動規制部６３と床面Ｆとのクリアランスより大きく設定してある。このような構成を採用することにより、キャスタ４の傾斜度合いに応じて、車輪５のみが前記補助接地部６１１より優先して床面Ｆに接地し、転動規制部６３が床面に接地しない第１傾斜姿勢（図６（ａ）参照）と、車輪５とともに、転動規制部６３が床面に接地または添接する第２傾斜姿勢（同図（ｂ）参照）とをとり得るようにしている。そして、第２傾斜姿勢においては、この転動規制部６３が床面Ｆに接地してこの床面Ｆとの間に有効な摩擦力を生じ得るように構成している。
【００３９】
このような構成を有するキャスタ４を前脚３１に取り付ける手順は、前記第２実施形態と略同様であるため、説明は省略する。
【００４０】
しかして、この机１は、通常の使用姿勢においては、キャスタ本体６に設けた補助接地部６１１が床面Ｆに接地するとともに、後脚３２に装着したキャップＣが床面Ｆに接地し、安定した接地状態となる（図５（ａ）参照）。また、レイアウト変更等に伴い、この机１を移動させる必要がある場合には、天板２の使用縁２ａ側に手を掛けて若干持ち上げることにより机１全体を前傾させて前記第１傾斜姿勢とし、後脚３２に取着されたキャップＣが浮上するとともに、前脚３１に取着されたキャスタ４の車輪５のみが床面Ｆに接地し、床面Ｆ上を転動可能に設定している（図６（ａ）参照）。この場合、補助接地部６１１は、車輪５の下端より上方に位置し、補助接地部６１１と床面Ｆとの間にクリアランスが生じるため、車輪５の転動動作に支障を来たすことはない。さらに、地震等の震動により机１が所定角度以上に前傾し前記第２傾斜姿勢をとった場合には、転動規制部６３が床面に添接し、車輪５の転動を規制するように設定している（同図（ｂ）参照）。同様に、天板２の使用縁２ａ側を過って必要以上に持ち上げた傾斜姿勢においても、転動規制部６３が床面Ｆに添接し、机１の転倒を有効に防止するように構成している。
【００４１】
このように、本実施形態に係るキャスタ４は、キャスタ本体６に、通常の使用姿勢において車輪５の下端より下方に位置し車輪５に優先して床面Ｆに接地する補助接地部６１１を設けているため、地震等により机１自体に大きな外力が掛かった場合であっても、机１の安定した使用状態を損なうことがない。加えて、前記補助接地部６１１が、通常の使用姿勢から所定角度傾斜した第１傾斜姿勢において車輪５の下端より上方に位置し、車輪５が補助接地部６１１に優先して床面Ｆに接地するため、机１を移動する際には、机１を所定角度前傾させることによりその状態で所望の位置まで簡単かつスムーズに移動させることができる。このように、安定性の向上と、移動作業の簡便性とを両立することができる。さらに、通常使用時には車輪５は接地していないため、車輪５の磨耗・損傷を抑止し、長寿命化に資する。また、前記第１傾斜姿勢において車輪５の接地位置を支点にさらに所定角度傾斜して第２傾斜姿勢となった場合に、床面Ｆに添接して車輪５のそれ以上の転動を規制する転動規制部６３をキャスタ本体６に設けているため、地震等の震動によって机１が所定角度以上に傾斜した場合であっても、転動規制部６３により車輪５の転動を規制し、机１自体の不用意な滑動を防止することができる。
【００４２】
なお、本発明は、以上に詳述した実施形態に限られるものではない。
【００４３】
例えば、補助接地部はキャスタ本体に一体に設けたものでなく、別体に設けたものであっても構わない。
【００４４】
また、キャスタ本体の転動規制部が、前記各実施形態において図３、図５で示したように車輪を前方から被覆し得るように本体部より巾寸法を大きく設定したものではなく、図７に示すように、本体部６１と同じ巾寸法に設定したものであってもよい。なお、転動規制部６３が本体部６１の前端部位から前方に突出している点は前記各実施形態のものと同様である。また、図７は、第１実施形態に略対応させた図であるが、もちろん第２実施形態に係るキャスタに、同図に示す転動規制部６３を設けても構わない。また、転動規制部を、キャスタ本体とは別体に設けてもよい。
【００４５】
また、キーを挿入部に設けるとともに、キー溝を脚の開口端部に形成してもよい。
【００４６】
後脚の下端部に、キャップに替えて、アジャスタを設けても構わない。これにより不陸等を簡単に解消することができる。
【００４７】
また、本発明に係るキャスタを、机等の天板付き家具以外にも、例えば、ラックやワゴン等の天板付き家具にも好適に適用することができる。
【００４８】
その他、各部の具体的構成についても上記実施形態に限られるものではなく、本発明の趣旨を逸脱しない範囲で種々変形が可能である。
【図面の簡単な説明】
【００４９】
【図１】本発明の一実施形態に係るキャスタを適用して机を示す全体斜視図。
【図２】同実施形態に係るキャスタの拡大斜視図。
【図３】同実施形態に係るキャスタの三面図。
【図４】作用説明図。
【図５】本発明の他の実施形態に係るキャスタを図３に対応して示す図。
【図６】作用説明図。
【図７】本発明の一実施形態に係るキャスタの変形例。
【符号の説明】
【００５０】
１…天板付き家具（机）
２…天板
３…脚
３１…前脚
３１１…開口端部
３１１ａ…キー
４…キャスタ
５…車輪
６…キャスタ本体
６１１…補助接地部
６２…挿入部
６２ａ…キー溝
６３…転動規制部
Ｃ…キャップ
【図１】
2005198837.tif 000003
【図２】
2005198837.tif 000004
【図３】
2005198837.tif 000005
【図４】
2005198837.tif 000006
【図５】
2005198837.tif 000007
【図６】
2005198837.tif 000008
【図７】
2005198837.tif 000009